(57)【特許請求の範囲】
【請求項１】
ホルダ本体とこのホルダ本体にホルダ幅方向一端側のヒンジ軸を介してそれぞれ独立して開閉可能に取り付けられたコード部把持用の蓋体及び光ファイバ心線把持用の蓋体とからなる光ファイバホルダであって、
前記ホルダ本体の上面の長手方向の片側に光ファイバコードの露出させた光ファイバ心線を位置決め収容する調心溝、他側にコード部を収容するコード部用溝を設けるとともに、前記調心溝とコード部用溝との間に、光ファイバ心線の周囲の抗張力繊維を引き出すための、ホルダ幅方向両側に抜ける溝状の空間部を形成したことを特徴とする光ファイバホルダ。
【請求項２】
光ファイバ心線の周囲に抗張力繊維を配置しその外側に外皮を被せた光ファイバコードの先端部の所定長さについて前記外皮を除去して光ファイバ心線を露出させた場合に、請求項１の光ファイバホルダを用いて光ファイバ心線をコード部とともに固定する光ファイバ心線固定方法であって、
光ファイバコードのコード部を前記コード部用溝に収容しかつ光ファイバ心線部を前記調心溝に収容し、前記抗張力繊維を二方向に分けて前記溝状の空間部を通してホルダ幅方向両側にそれぞれ引き出しかつそれぞれ後方に引き回しておき、次いで光ファイバコード把持用の蓋体を被せてコード部を把持固定し、光ファイバ心線把持用の蓋体を被せて光ファイバ心線を把持固定することを特徴とする光ファイバ心線固定方法。
【発明の詳細な説明】
【０００１】
【発明の属する技術分野】
この発明は，光コネクタ組立用治具あるいは光ファイバ加工機器用治具等として用いられる光ファイバホルダに関する。
【０００２】
【従来の技術】
一般に，例えば簡易組み立て単心光コネクタを組み立てる場合，光ファイバ心線の被覆を除去する際および光コネクタを組み立てる際に，光ファイバ心線を精度よく位置決め固定するための固定治具として，光ファイバホルダが使用されている。また，光ファイバ切断装置や光ファイバ融着接続装置等の光ファイバ加工機器においては，光ファイバ心線を機器上で精度良く位置決め固定するための固定治具として光ファイバホルダが用いられる。
【０００３】
この種の従来の光ファイバホルダはいずれも，光ファイバ心線用のものであった。この種の従来の光ファイバホルダの一例を図８，図９に示す。図８は従来の光ファイバホルダ１の平面図，図９は使用状態の側面図である。この光ファイバホルダ１は，ホルダ本体２の上面に，光ファイバ心線３を位置決め収容する調心溝４を長手方向の全長にわたって設けるとともに，この調心溝３に収容した光ファイバ心線３を把持するための蓋体５，５をホルダ本体２にヒンジ軸７を介して開閉可能に取り付けた構造である。また，蓋体は光ファイバ心線２を挟持する際の主として作業性の面から２つに分割しているが，図示の通り，両蓋体５，５はほぼ隙間なく隣接して設けられている。なお，図８は一方の蓋体５を開いた状態で示している。
【０００４】
【発明が解決しようとする課題】
上記従来の光ファイバホルダ１は光ファイバ心線用であり，光ファイバコードに対しては使用できない。図７に光ファイバコードの一例を示す。図７の光ファイバコード３０は単心であり，光ファイバ心線３１の周囲を抗張力繊維（引っ張り強度補強材：一般にケブラが使用されている）３２で被覆し，さらにその周囲をＰＶＣ（ポリ塩化ビニル）外被３３で覆った構造である。具体的寸法の一例を示すと，光ファイバ心線３１の外径（２次被覆外径）が０．９ｍｍ，光ファイバコード３０の外径（ＰＶＣ外皮３３の外径）が１．５ｍｍあるいは２．０ｍｍあるいは２．８ｍｍ等である。このような光ファイバコード３０を光ファイバホルダで固定するには，光ファイバコード３０の先端部のＰＶＣ外被３３を除去し，ハサミ等では簡単に切れない抗張力繊維３２をほぐし光ファイバ心線３１の周囲から離してファイバ心線３１を把持する必要がある。
しかし，従来の光ファイバホルダ１では，これを光ファイバコード用とするために，仮に図８において長手方向全長にわたる調心溝４の右側約半分をコード部収容のための溝として大きくしたとしても，光ファイバ心線３１の周囲から離した前記抗張力繊維３２の取り出し処理が困難である。
【０００５】
本発明は上記従来の欠点を解消するためになされたもので，光ファイバコードの先端部における光ファイバ心線およびコード部をしっかりと把持することができるとともに，その際の抗張力繊維の処理が容易な光ファイバホルダを提供することを目的とする。
【０００６】
【課題を解決するための手段】
上記課題を解決する本発明は、ホルダ本体とこのホルダ本体にホルダ幅方向一端側のヒンジ軸を介してそれぞれ独立して開閉可能に取り付けられたコード部把持用の蓋体及び光ファイバ心線把持用の蓋体とからなる光ファイバホルダであって、
前記ホルダ本体の上面の長手方向の片側に光ファイバコードの露出させた光ファイバ心線を位置決め収容する調心溝、他側にコード部を収容するコード部用溝を設けるとともに、前記調心溝とコード部用溝との間に、光ファイバ心線の周囲の抗張力繊維を引き出すための、ホルダ幅方向両側に抜ける溝状の空間部を形成したことを特徴とする。
請求項２は、光ファイバ心線の周囲に抗張力繊維を配置しその外側に外皮を被せた光ファイバコードの先端部の所定長さについて前記外皮を除去して光ファイバ心線を露出させた場合に、請求項１の光ファイバホルダを用いて光ファイバ心線をコード部とともに固定する光ファイバ心線固定方法であって、
光ファイバコードのコード部を前記コード部用溝に収容しかつ光ファイバ心線部を前記調心溝に収容し、前記抗張力繊維を二方向に分けて前記溝状の空間部を通してホルダ幅方向両側にそれぞれ引き出しかつそれぞれ後方に引き回しておき、次いで光ファイバコード把持用の蓋体を被せてコード部を把持固定し、光ファイバ心線把持用の蓋体を被せて光ファイバ心線を把持固定することを特徴とする。
【０００７】
【発明の実施の形態】
以下，本発明の実施の形態を図１〜図６に示した一実施例の光ファイバホルダを参照して説明する。
図１は本発明の一実施例の光ファイバホルダ１１の斜視図，図２は同平面図，図３は図２のＡ−Ａ断面図，図４（イ）は図２のＢ−Ｂ断面図，図４（ロ）は図２のＣ−Ｃ断面図である。また，図５，図６にこの光ファイバホルダ１１で光ファイバコード３０を把持する状況を模式図で示す。なお，本発明の光ファイバホルダ１１が対象とする光ファイバコード３０は，例えば図７で説明したような構造・寸法であるが，当然これに限定されない。これらの図に示すように，この光ファイバホルダ１１は，プラスチック製のホルダ本体１２と，このホルダ本体１２に開閉可能に取り付けられた鋼製の２つの蓋体１３，１４とからなっている。
【０００８】
ホルダ本体１１には，その上面の長手方向の片側に光ファイバコード３０の露出させた光ファイバ心線３１を位置決め収容する断面Ｖ字形の調心溝１５，他側にコード部３０ａを収容するコード部用溝１６を設け，その中間部にコード部用溝１６と同じ深さでホルダ本体１２の幅方向に突き抜ける溝状の空間部１７を形成している。この空間部１７は，後述するように光ファイバ心線３１の周囲の抗張力繊維３２を引き出すためのものである。
【０００９】
前記調心溝１５は，一方の蓋体１３側の後述の挟持部材２４が係合する浅い係合溝２０の中央に形成している。また，ホルダ本体１２には，鋼製である蓋体１３，１４をそれぞれ吸着するためのマグネット２１を微小寸法没するように埋設している。
【００１０】
前記の一方の蓋体１３は前記調心溝１５に収容された光ファイバ心線３１を挟持するためのもの，他方の蓋体１４は前記コード部溝１６に収容されたコード部３０ａを挟持するためのものであり，両蓋体１３，１４は，ホルダ本体１２の側部に貫通させたヒンジ軸２３を介してホルダ本体１２に開閉可能に取り付けられている。そして，両蓋体１３，１４間は，前記空間部１７の上方を覆わないように図示の通り互いに離間している。また，蓋体１３の内側面の中央に光ファイバ心線３１を押さえるプラスチックからなる挟持部材２４を設け，蓋体１４の内面側の中央にコード部３０ａを押さえるゴムからなる挟持部材２５を設けている。
【００１１】
上記の光ファイバホルダ１１で光ファイバコードを把持する作業について説明する。予め，光ファイバコードの先端部の所定の長さについてＰＶＣ外皮を除去して抗張力繊維を露出させ，次いでその露出させた抗張力繊維をほぐして光ファイバ心線から離し，光ファイバ心線を露出させておく。
そして，図５に示すように，光ファイバホルダ１１の両蓋体１３，１４を開いた状態で，前述の処理を施した光ファイバコード３０の露出させた光ファイバ心線３１を調心溝１５に収容し，コード部３０ａをコード部用溝１６に収容する。この場合，抗張力繊維３２は，図示のように，ホルダ本体１２の調心溝１５とコード部用溝１６との間に形成されている空間部１７の幅方向両側から引き出し，後方に引き回しておく。次いで，図６に示すように，両蓋体１３，１４を閉ざす。この時，鋼製である両蓋体１３，１４はホルダ本体１２側のマグネット２１に吸着されるので，ホルダ本体１２と蓋体１３，１４とはこの吸着力で光ファイバ心線３１またはコード部３０ａを把持する。なお，光ファイバ心線３１はホルダ本体１２と蓋体１３とでしっかりと固定されるが，抗張力繊維３２とＰＶＣ外皮３３との間はルーズなので，コード部３０ａはしっかりと固定というほどではなく，固定された光ファイバ心線３１に無理な力が加わらないような安定な把持がされる。
【００１２】
なお，光ファイバ心線の被覆を除去する際には，ホルダ本体１２から光ファイバ心線３１が滑らないように，光ファイバ心線３１を一定の力でしっかりと把持する必要がある。そこで，光ファイバ心線３１を把持する部分の長さすなわち上記の調心溝１５および蓋体１３の長さを，光ファイバ心線３１を一定の力で把持できる長さに設定している。
【００１３】
上記のように光ファイバホルダ１１で把持された光ファイバコード１１は，  光ファイバ心線の被覆を除去する場合であれば，この光ファイバホルダ１１を光ファイバ心線被覆除去装置の光ファイバホルダ装着部に装着する。また，光ファイバ心線の被覆を除去した後の光コネクタ組立を行う場合であれば，光コネクタにこの光ファイバホルダごと装着して組み立てる。
【００１４】
なお，本発明の光ファイバホルダは，光ファイバ切断装置や光ファイバ融着接続装置における光ファイバ心線固定治具として用いることもできる。この場合は，光ファイバコードを固定した本発明の光ファイバホルダを光ファイバ切断装置や光ファイバ融着接続装置の光ファイバホルダ装着部に装着する。その他，利用形態は特に限定されるものではない。
【００１５】
なお、実施例では抗張力繊維を引き出すための空間部１７を、両蓋体１３、１４間の間隙と一致させているが、必ずしも一致させなくてよい。空間部は両蓋体１３、１４の間隙より広くても狭くてもよい。また、実施例の空間部１７は、コード部用溝１６の底面と同レベルであるが、この空間部はコード部用溝１６より深くても浅くてもよい。
【００１６】
なお，実施例では，両蓋体１３，１４が空間部１７を覆わないように，両蓋体１３，１４を互いに離間して設けているので，抗張力繊維３２をホルダ本体１２の外側に引き出す処理が容易であるが，両蓋体１３，１４を近接ないし接触させて設けることを除外するものではない。この場合でも，抗張力繊維３２を引き出す処理を両蓋体１３，１４が開いた状態でしか行わないのであれば，空間部１７の存在のみで十分抗張力繊維３２の引き出し処理が可能である。ただし，蓋体１３をほぼ閉じた状態で光ファイバ心線３１を調心溝１５に挿入する作業を行う場合は，蓋体１３が空間部１７を覆わないようにする必要がある。
【００１７】
また，実施例では単心の光ファイバコードを対象とする光ファイバホルダについて説明したが，複数の光ファイバ心線を有する多心光ファイバコードに本発明を適用することも可能である。但し，この場合のホルダ本体に設ける調心溝は，複数の光ファイバ心線を位置決め収容できるように，その多心光ファイバコードの構造・寸法に応じて適宜変更する。なお，多心光ファイバコードとしては，個々の光ファイバ心線毎に抗張力繊維およびＰＶＣ外皮を持つ構造のもの，および束にした複数の光ファイバ心線の周囲を抗張力繊維を設けさらにＰＶＣ外皮で被覆した丸形のもののいずれにでもよい。
【００１８】
【発明の効果】
本発明によれば，ホルダ本体の片側に光ファイバ心線用の調心溝，他側にコード部用のコード部用溝を設けるとともに，調心溝とコード部用溝との間に，光ファイバ心線の周囲の抗張力繊維を引き出すための空間部を形成したので，次のような効果が得られた。
▲１▼抗張力繊維を引き出す空間部があるので抗張力繊維の処理が容易になり，これにより，光ファイバコードの先端の光ファイバ心線だけでなくコード部をも把持することが可能となり，光ファイバ心線を無理な力が加わらない状態でしっかりと固定することが可能となった。
▲２▼これにより，光コネクタ組立における光ファイバコードの光ファイバ心線の被覆除去および光コネクタの組み立て作業が著しく容易になった。また，光ファイバ切断装置や光ファイバ融着接続装置等の光ファイバ加工機器における固定治具として用いた場合には，同様にそれらの加工が容易になる。
【図面の簡単な説明】
【図１】本発明の光ファイバホルダの一実施例を示す斜視図である。
【図２】図１の光ファイバホルダの平面図である。
【図３】図２のＡ−Ａ断面図である。
【図４】（イ）は図２のＢ−Ｂ断面図（ロ）は図２のＣ−Ｃ断面図である。
【図５】上記の光ファイバホルダで光ファイバコードを把持する際に，抗張力繊維の処理を行う状況を説明する図であり，蓋体を開いた状態の模式図である。
【図６】図５に続いて蓋体を閉じた状態の模式図である。
【図７】本発明の光ファイバホルダが対象とする光ファイバコードの一例を示す断面図である。
【図８】従来の光ファイバホルダの，一方の蓋体を開いた状態の平面図である。
【図９】図８の光ファイバホルダで光ファイバ心線を把持した状態の側面図である。
【符号の説明】
１１  光ファイバホルダ
１２  ホルダ本体
１３，１４  蓋体
１５  調心溝
１６  コード部用溝
１７  空間部
２０  係合溝
２１  マグネット
２３  ヒンジ軸
２４，２５  挟持部材
３０  光ファイバコード
３０ａ  コード部
３１  光ファイバ心線
３２  抗張力繊維
３３  ＰＶＣ外皮
【図１】
0003542008.tif 000002
【図２】
0003542008.tif 000003
【図３】
0003542008.tif 000004
【図４】
0003542008.tif 000005
【図５】
0003542008.tif 000006
【図６】
0003542008.tif 000007
【図７】
0003542008.tif 000008
【図８】
0003542008.tif 000009
【図９】
0003542008.tif 000010